(57)【特許請求の範囲】
【請求項１】
シート本体（４）と、当該シート本体（４）を覆うカバー（５）とを備えるシート（１）に用いられ、前記シート本体（４）に前記カバー（５）を固定する固定具であって、
前記シート本体（４）に取り付けられる取付部材（６１）と、
前記シート本体（４）が有する開口部（４５２）に係止される係止部材（６２，７２）と、
前記取付部材（６１）及び前記係止部材（６２，７２）を接続し、前記カバー（５）と係合する紐状部材（６３）と、を有し、
前記係止部材（６２，７２）は、
前記紐状部材（６３）が取り付けられる本体部（６２１）と、
前記本体部（６２１）に設けられ、前記開口部（４５２）の第１端縁（４５４Ｂ）に当接される第１当接部（６２２）と、
前記第１当接部（６２２）から離れた前記本体部（６２１）の位置に設けられ、前記開口部（４５２）に挿入される弾性を有する挿入部（６２５）と、を有し、
前記挿入部（６２５）は、
当該挿入部（６２５）が前記開口部（４５２）に挿入される挿入方向に沿って延出する第１延出部（６２５１）と、
前記第１延出部（６２５１）の先端から、前記第１当接部（６２２）から離れる方向に屈曲する屈曲部（６２５２）と、
前記屈曲部（６２５２）から、前記挿入方向とは反対方向に延出する第２延出部（６２５３）と、
前記第２延出部（６２５３）における延出方向先端部に位置する第１規制部（６２６）と、を有し、
前記第１規制部（６２６）は、前記挿入部（６２５）が弾性変形されて前記開口部（４５２）に挿入された際に、当該挿入部（６２５）において前記第１端縁（４５４Ｂ）とは反対側の前記第２端縁（４５５Ｔ）に当接される部位に位置し、
前記第１規制部（６２６）は、前記開口部（４５２）において前記第２端縁（４５５Ｔ）に当接して、前記挿入部（６２５）の前記開口部（４５２）からの抜けを規制可能に構成される
ことを特徴とする固定具。
【請求項２】
請求項１に記載の固定具において、
前記第２端縁（４５５Ｔ）に応じた位置に設けられ、前記挿入部（６２５）が前記開口部（４５２）に挿入された際に前記シート本体（４）に当接して、当該挿入部（６２５）の前記開口部（４５２）への没入を規制する第２規制部（６２７）を有する
ことを特徴とする固定具。
【請求項３】
請求項１または請求項２に記載の固定具において、
前記シート本体（４）は、前記開口部（４５２）が形成された板状体（４５）を有し、
前記挿入部（６２５）から前記第１当接部（６２２）に向かう方向に当該第１当接部（６２２）から延出し、前記開口部（４５２）に挿入されて、前記本体部（６２１）が位置する側とは反対側の前記板状体（４５）の面に当接される第２当接部（６２３）を有する
ことを特徴とする固定具。
【請求項４】
請求項１から請求項３のいずれか一項に記載の固定具において、
前記挿入部（６２５）から前記第１当接部（６２２）に向かう方向、及び、前記挿入部（６２５）の前記開口部（４５２）への挿入方向のそれぞれに直交する方向に前記第１当接部（６２２）から延出し、前記挿入方向から見て前記開口部（４５２）の外側の部位に当接される第３当接部（６２４）を有する
ことを特徴とする固定具。
【請求項５】
請求項１から請求項３のいずれか一項に記載の固定具において、
前記挿入部（６２５）から前記第１当接部（６２２）に向かう方向に当該第１当接部（６２２）から延出し、前記挿入部（６２５）の前記開口部（４５２）への挿入方向から見て前記開口部（４５２）の外側の部位に当接される第４当接部（７２４）を有する
ことを特徴とする固定具。
【請求項６】
シート本体（４）と、
前記シート本体（４）を覆うカバー（５）と、
請求項１から請求項５のいずれか一項に記載の固定具（６，７）と、を備える
ことを特徴とするシート。
【請求項７】
請求項６に記載のシートにおいて、
前記シート本体（４）は、前記係止部材（６２，７２）が係止される開口部（４５２）を有し、
前記開口部（４５２）は、分離部（４５３）により、
前記第１当接部（６２２）が端縁（４５４Ｂ）に当接される第１開口部（４５４）と、
前記挿入部（６２５）が挿入される第２開口部（４５５）と、に分離されている
ことを特徴とするシート。
【請求項８】
請求項６または請求項７に記載のシート（１）に用いられ、前記シート本体（４）に前記カバー（５）を固定するカバー固定方法であって、
前記シート本体（４）に対し、請求項１から請求項５のいずれか一項に記載の固定具（６，７）の取付部材（６１）が取り付けられ、かつ、前記カバー（５）と、前記取付部材（６１）に接続される紐状部材（６３）とが係合した状態とする係合工程と、
前記シート本体（４）が有する開口部（４５２）に、前記紐状部材（６３）を挟んで前記取付部材（６１）とは反対側に設けられた係止部材（６２，７２）を係止する係止工程と、を有し、
前記係止工程は、
前記開口部（４５２）を形成する端縁のうち、前記紐状部材（６３）に作用する張力の作用方向の第１端縁（４５４Ｂ）に、前記係止部材（６２，７２）に設けられた当接部（６２２）を当接させる当接手順と、
前記当接部（６２２）を支点として前記係止部材（６２，７２）を回動させて、前記当接部（６２２）から前記作用方向とは反対方向に設けられた挿入部（６２５）を、前記開口部（４５２）に挿入する挿入手順と、
前記第１端縁（４５４Ｂ）とは反対側の前記開口部（４５２）の第２端縁（４５５Ｔ）に、前記挿入部（６２５）の一部を当接させて、当該挿入部（６２５）の前記開口部（４５２）からの抜けを規制する規制手順と、を有する
ことを特徴とするカバー固定方法。
【発明の詳細な説明】
【技術分野】
【０００１】  本発明は、シート本体にカバーを固定する固定具、シート、及びカバー固定方法に関する。
【背景技術】
【０００２】  従来、自動車等の車両に用いられるシートが知られている。このようなシートは、一般的に、フレームに取り付けられた合成樹脂発泡体等のクッション材と、当該クッション材を被覆するカバーとを備える。このうち、シートにおける背もたれ部分に採用されるクッション材は、使用者の体型に合わせるように、左右部分が中央部分に対して突出した立体形状を有する場合が多い。このようなクッション材の立体形状に応じた形状を有するカバーにより当該クッション材を被覆する場合には、これらが互いに密着していないと、シートによる身体のホールド感が低下する他、座り心地が悪くなるという問題がある。  これに対し、カバーをクッション材（本体部）に密着させた状態で固定する固定具（吊り部材）が知られている（例えば、特許文献１参照）。【０００３】  この特許文献１に記載の吊り部材は、本体部及びカバーを有する背もたれ部において、当該カバーを本体部に取り付けるために用いられる。この吊り部材は、本体部に設けられたフレーム部の一部（ワイヤー）に掛止される第１掛止部と、当該フレーム部の他の部分に掛止される第２掛止部と、これら第１掛止部及び第２掛止部を接続する吊り部とを有している。このうち、吊り部は、カバーの裏面に対して固定帯部を介して一体的に固定されており、また、第２掛止部は、金属製の開リングが選択的に固定される複数の孔を有する。【０００４】  このような吊り部材においては、第１掛止部をワイヤーにＣリングを用いて連結し、吊り部をフレーム部の下部（第２下部フレーム）に渡した後、第２掛止部を上方に引き上げて、当該第２掛止部における開リングをフレーム部（第１下部フレーム）に掛止する。これにより、カバーが本体部に密着した状態で固定される。
【先行技術文献】
【特許文献】
【０００５】
【特許文献１】特開２００１−３００１６２号公報
【発明の概要】
【発明が解決しようとする課題】
【０００６】  しかしながら、前述の特許文献１に記載の吊り部材を用いた場合、第２掛止部の開リングをフレーム部に掛止するためには、当該開リングがフレーム部に掛止される以上に、第２掛止部を引き上げる必要がある。このため、吊り部材に大きな引き上げ力を加える必要があり、フレーム部に取り付ける作業工程が煩雑になるという問題がある。  また、開リングがフレーム部に掛止された際には、引き上げた位置から第２掛止部が引き戻される。このため、吊り部材によりフレーム部及びカバーに加わる張力が低下し、本体部にカバーが安定しない場合という問題がある。【０００７】  本発明は、作業効率を向上でき、シート本体にカバーを安定して取り付けることができる固定具、シート、及びカバー固定方法を提供することである。
【課題を解決するための手段】
【０００８】
本発明の固定具は、シート本体と、当該シート本体を覆うカバーとを備えるシートに用いられ、前記シート本体に前記カバーを固定する固定具であって、前記シート本体に取り付けられる取付部材と、前記シート本体が有する開口部に係止される係止部材と、前記取付部材及び前記係止部材を接続し、前記カバーと係合する紐状部材と、を有し、前記係止部材は、前記紐状部材が取り付けられる本体部と、前記本体部に設けられ、前記開口部の第１端縁に当接される第１当接部と、前記第１当接部から離れた前記本体部の位置に設けられ、前記開口部に挿入される弾性を有する挿入部と、を有し、前記挿入部は、当該挿入部が前記開口部に挿入される挿入方向に沿って延出する第１延出部と、前記第１延出部の先端から、前記第１当接部から離れる方向に屈曲する屈曲部と、前記屈曲部から、前記挿入方向とは反対方向に延出する第２延出部と、前記第２延出部における延出方向先端部に位置する第１規制部と、を有し、前記第１規制部は、前記挿入部が弾性変形されて前記開口部に挿入された際に、当該挿入部において前記第１端縁とは反対側の前記第２端縁に当接される部位に位置し、前記第１規制部は、前記開口部において前記第２端縁に当接して、前記挿入部の前記開口部からの抜けを規制可能に構成されることを特徴とする。
【０００９】  ここで、シート本体において、取付部材が取り付けられる取付部位、及び、係止部材が係止される係止部位は、当該シート本体における同一の面（例えば背面）に位置していてもよく、或いは、互いに反対側となる面（例えば、正面及び背面）に位置していてもよい。なお、当該各部位が同一の面にある場合には、取付部材と係止部材とを接続する紐状部材は、当該取付部位から、これら取付部位及び係止部位が位置する面とは反対側の面を経て、係止部位に掛け渡されることが好ましい。これにより、当該紐状部材が係合するカバーに、シート本体に密着するための張力を適切に加えることができる。【００１０】  本発明によれば、固定具により、シート本体とカバーとが固定される際には、まず、当該シート本体に取付部材が取り付けられるとともに、紐状部材とカバーとが係合される。この後、紐状部材を引き寄せて、当該紐状部材に作用する張力の作用方向（紐状部材を引き寄せる方向とは反対方向）の開口部の第１端縁に、係止部材の第１当接部を当接させ、当該第１当接部を支点（てこの原理の支点）として、係止部材をレバーのように回動させることで、挿入部が開口部に挿入される。この際、第１規制部が、第１端縁とは反対側の第２端縁に当接することにより、当該開口部からの挿入部の抜け、すなわち、係止部材の開口部からの抜けが規制され、当該係止部材が、シート本体に係止される。【００１１】  これによれば、第１当接部を支点として、係止部材を回動させて、挿入部を開口部に挿入させることで、当該係止部材をシート本体に容易に係止できる。  また、開口部に挿入部が挿入された状態で適切な張力が紐状部材に加わるように、当該紐状部材の長さ寸法が設定されていれば、必要以上に係止部材を引き寄せる等の作業が不要となる。このため、開口部に挿入部を挿入する際の作業者の力を低減させることができる。  従って、シート本体に対する係止部材の係止操作を容易に行うことができ、ひいては、シート本体に対するカバーの固定を容易に行うことができる。【００１２】  更に、第１当接部を支点とする係止部材の回動により、開口部に挿入部が挿入されて、当該係止部材がシート本体に係止されるので、この係止操作の過程で、当該係止部材がシート本体に対して前述の作用方向に移動することが防止される。これによれば、紐状部材を介して、取付部材及び係止部材に加わる応力を適切に設定及び維持できる。従って、固定具を安定してシート本体に固定でき、ひいては、当該シート本体にカバーを適切に固定できる。【００１４】
また、本発明によれば、挿入部は、弾性変形されて開口部に挿入されるので、当該挿入部の挿入操作を容易に行うことができるほか、当該挿入部を弾性変形させることで、係止部材を開口部から取り外すことも可能となる。
また、第１規制部が、第２端縁に当接される挿入部の部位に位置することにより、開口部への当該挿入部の挿入操作が完了するのと略同時に、開口部からの挿入部の抜けを規制できる。従って、シート本体に対する係止部材の係止をより簡易に行うことができる。
【００１６】
さらに、本発明によれば、挿入部は、第１延出部、屈曲部及び第２延出部を有する略Ｕ字状に形成される。これによれば、屈曲部から先に挿入されるように、挿入部を開口部に挿入することで、当該挿入部が開口部を通過する際に、第１延出部及び第２延出部における屈曲部とは反対側の各端部が互いに近接するように、挿入部を弾性変形させやすくすることができる。従って、挿入部の開口部への挿入を一層容易に行うことができ、ひいては、シート本体に対する係止部材の係止を一層容易に行うことができる。
【００１７】  また、挿入部が開口部に挿入された後には、第１延出部及び第２延出部における屈曲部とは反対側の各端部は、互いに離間する方向に伸長しようとする。これによれば、当該第２延出部の端部に位置する第１規制部が、開口部の第２端縁に当接しやすくなる。従って、第１規制部により、開口部からの挿入部の抜けを確実に防止でき、係止部材をシート本体に確実に係止できる。【００１８】  本発明では、前記第２端縁に応じた位置に設けられ、前記挿入部が前記開口部に挿入された際に前記シート本体に当接して、当該挿入部の前記開口部への没入を規制する第２規制部を有することが好ましい。【００１９】  本発明によれば、挿入部が開口部に挿入された際に、第２規制部がシート本体に当接することにより、挿入部が開口部内に没入することを防止できる。従って、シート本体への係止部材の係止操作を一層容易に行うことができるほか、当該シート本体に係止部材を確実に係止できる。【００２０】  本発明では、前記シート本体は、前記開口部が形成された板状体を有し、前記挿入部から前記第１当接部に向かう方向に当該第１当接部から延出し、前記開口部に挿入されて、前記本体部が位置する側とは反対側の前記板状体の面に当接される第２当接部を有することが好ましい。【００２１】  本発明によれば、第２当接部により、第１当接部を開口部の第１端縁に当接させやすくできるので、係止部材の回動操作を容易に行うことができる。  また、挿入部が開口部に挿入された際に、第２当接部が板状体に当接することにより、開口部から第１当接部が抜けることが規制されるので、前述の第１規制部と合わせて、当該開口部からの係止部材の抜けを確実に防止できる。従って、シート本体に係止部材を確実に係止でき、ひいては、当該シート本体にカバーを確実に固定できる。【００２２】  本発明では、前記挿入部から前記第１当接部に向かう方向、及び、前記挿入部の前記開口部への挿入方向のそれぞれに直交する方向に前記第１当接部から延出し、前記挿入方向から見て前記開口部の外側の部位に当接される第３当接部を有することが好ましい。【００２３】  本発明によれば、第３当接部が、挿入部の開口部への挿入方向から見て当該開口部の外側の部位に当接することにより、第１端縁へ第１当接部を案内できる。また、これにより、第１当接部が開口部内に没入することを防止できる。  更に、前述の第２当接部が設けられている場合には、第１当接部を支点として係止部材を回動させた際（挿入部が開口部に挿入された際）には、当該第２当接部及び第３当接部により、開口部の第１端縁近傍の部位を挟持できる。従って、当該係止部材を安定してシート本体に取り付けることができる。【００２４】  或いは、本発明では、前記挿入部から前記第１当接部に向かう方向に当該第１当接部から延出し、前記挿入部の前記開口部への挿入方向から見て前記開口部の外側の部位に当接される第４当接部を有することが好ましい。【００２５】  本発明によれば、挿入部の開口部への挿入方向から見て当該開口部の外側の部位に第４当接部が当接することにより、第１当接部が開口部内に没入することを防止できる。  また、第４当接部は、挿入部から第１当接部に向かう方向に延出しているので、当該方向と、挿入部が開口部に挿入される方向とにそれぞれ直交する方向の固定具の寸法を、前述の第３当接部が設けられた固定具に比べて小さくできる。【００２６】  また、本発明のシートは、シート本体と、前記シート本体を覆うカバーと、前述の固定具と、を備えることを特徴とする。  本発明によれば、シートが、シート本体及びカバーの他に、前述の固定具を備えることにより、前述の固定具と同様の効果を奏することができる。【００２７】  本発明では、前記シート本体は、前記係止部材が係止される開口部を有し、前記開口部は、分離部により、前記第１当接部が端縁に当接される第１開口部と、前記挿入部が挿入される第２開口部と、に分離されていることが好ましい。【００２８】  本発明によれば、第１開口部の端縁に当接される第１当接部を支点として係止部材が回動され、挿入部が第２開口部に挿入される際に、分離部により、係止部材がこれら開口部に没入することを防止できる。従って、係止部材を適切にシート本体に係止させることができる。【００２９】
また、本発明のカバー固定方法は、前述した本発明のシートに用いられ、前記シート本体に前記カバーを固定するカバー固定方法であって、前記シート本体に対し、前述した本発明の固定具の取付部材が取り付けられ、かつ、前記カバーと、前記取付部材に接続される紐状部材とが係合した状態とする係合工程と、前記シート本体が有する開口部に、前記紐状部材を挟んで前記取付部材とは反対側に設けられた係止部材を係止する係止工程と、を有し、前記係止工程は、前記開口部を形成する端縁のうち、前記紐状部材に作用する張力の作用方向の第１端縁に、前記係止部材に設けられた当接部を当接させる当接手順と、前記当接部を支点として前記係止部材を回動させて、前記当接部から前記作用方向とは反対方向に設けられた挿入部を、前記開口部に挿入する挿入手順と、前記第１端縁とは反対側の前記開口部の第２端縁に、前記挿入部の一部を当接させて、当該挿入部の前記開口部からの抜けを規制する規制手順と、を有することを特徴とする。
本発明によれば、前述の工程及び手順に沿って、前述の固定具を用いてシート本体にカバーを固定することにより、前述の固定具と同様の効果を奏することができる。
【図面の簡単な説明】
【００３０】
【図１】本発明の第１実施形態に係るシートを示す斜視図。
【図２】前記第１実施形態における本体部及びカバーを示す斜視図。
【図３】前記第１実施形態における固定具を示す図。
【図４】前記第１実施形態における固定具を示す図。
【図５】前記第１実施形態における固定具を示す図。
【図６】前記第１実施形態における取付部材の係合状態を示す斜視図。
【図７】前記第１実施形態における係止部材の係止工程を示す斜視図。
【図８】前記第１実施形態における係止部材の係止工程を示す斜視図。
【図９】前記第１実施形態における係止部材の係止工程を示す斜視図。
【図１０】本発明の第２実施形態に係るシートが備える固定具の係止部材の係止状態を示す斜視図。
【発明を実施するための形態】
【００３１】  ［第１実施形態］  以下、本発明の第１実施形態について図面に基づいて説明する。  図１は、本実施形態に係るシート１を示す斜視図である。また、図２は、当該シート１の背もたれ部３を構成するシート本体４及びカバー５を示す斜視図である。  本実施形態に係るシート１は、自動車等の車両に用いられるシートである。このシート１は、図１に示すように、座部２と、背もたれ部３とを備える。  このうち、背もたれ部３は、図２に示すように、シート本体４と、当該シート本体４を被覆するカバー５と、当該シート本体４にカバー５を固定する固定具６（図１参照）とを備える。
【００３２】  ［シート本体の構成］  シート本体４は、図示を省略するが、合成樹脂発泡体により形成され、角が取れた全体略直方体形状を有するクッション材と、当該クッション材が取り付けられるフレームにより構成されている。このシート本体４における正面側（使用者の背に対向する側）には、略平坦な中央部４１と、当該中央部４１の左右に位置し、中央部４１より突出した左突部４２及び右突部４３とが形成されている。これら中央部４１と左突部４２との間、及び、中央部４１と右突部４３との間には、それぞれ凹部４４が形成されている。これら凹部４４には、シート本体４にカバー５が取り付けられる際に、後述する固定具６の紐状部材６３が配置される。
【００３３】  シート本体４における背面側には、図１及び図２に示すように、固定具６が取り付けられる金属製の板状体４５が設けられている。この板状体４５には、固定具６の後述する取付部材６１が取り付けられる略矩形の開口部４５１と、当該固定具６の係止部材６２が係止される開口部４５２とが、左右に１つずつ形成されている。すなわち、板状体４５の左右には、固定具６が１つずつ取り付けられる。
【００３４】  これらのうち、開口部４５２は、シート本体４を立てた際に水平方向に沿って延出する分離部４５３により、それぞれ略矩形の第１開口部４５４及び第２開口部４５５に分離されている。なお、分離部４５３の延出方向は、板状体４５に沿い、かつ、後述する紐状部材６３に作用する張力の作用方向に直交する方向である。  第１開口部４５４は、シート本体４を立てた際に下方に位置する。この第１開口部４５４における下側の端縁４５４Ｂ（前記作用方向の端縁４５４Ｂ）には、係止部材６２の後述する第１当接部６２２が当接される。この端縁４５４Ｂは、本発明の第１端縁に相当する。  第２開口部４５５は、シート本体４を立てた際に第１開口部４５４の上方に位置する。この第２開口部４５５には、後述する挿入部６２５が挿入され、当該第２開口部４５５の上側の端縁４５５Ｔ（前記作用方向とは反対方向の端縁４５５Ｔ）には、後述する第１規制部６２６が当接される。この端縁４５５Ｔは、本発明の第２端縁に相当する。
【００３５】  ［カバーの構成］  カバー５は、図２に示すように、シート本体４に応じた形状を有し、当該シート本体４を座部２とは反対側から覆うように設けられる。  具体的に、カバー５の正面側には、前述の中央部４１、左突部４２及び右突部４３に応じた中央部５１、左突部５２及び右突部５３を有し、また、シート本体４の背面側に設けられた前述の板状体４５を覆う背面部５４を有する。
【００３６】  更に、カバー５の内側には、左右の凹部４４に対応する位置に、後述する紐状部材６３が挿通する帯状部５５がそれぞれ設けられている。これら帯状部５５は、固定具６が前述の板状体４５に係止された際に、当該紐状部材６３によりシート本体４に近接する方向に引き寄せられる。これにより、カバー５がシート本体４に密着した状態で固定される。  なお、このような帯状部５５の位置は、左右にそれぞれ１つずつでなくてもよく、複数の帯状部５５に分割されていてもよい。また、当該帯状部５５の寸法も、適宜設定可能である。
【００３７】  ［固定具の構成］  図３〜図５は、固定具６を示す図である。具体的に、図３は、板状体４５に対向する側から固定具６を図であり、図４は、板状体４５に固定具６を取り付ける側から固定具６を見た図である。また、図５は、側方から固定具６を見た図である。  固定具６は、前述のように、カバー５をシート本体４に密着させた状態で固定するものである。この固定具６は、図３〜図５に示すように、当該固定具６の一端に設けられる取付部材６１と、当該固定具６の他端に設けられる係止部材６２と、これら取付部材６１及び係止部材６２を接続する紐状部材６３とを有する。
【００３８】  ［取付部材及び紐状部材の構成］  取付部材６１は、図３〜図５に示すように、開口部４５１の端縁４５１Ｔ（図６参照）に掛かり止められる鉤状部６１１と、紐状部材６３がインサート成形により固定された固定部６１２とを有する。  紐状部材６３は、ポリエステル等の合成樹脂により形成されている。この紐状部材６３は、前述の帯状部５５を挿通することで、カバー５と係合する。
【００３９】  ［係止部材の構成］  係止部材６２は、本体部６２１、第１当接部６２２、第２当接部６２３、第３当接部６２４、挿入部６２５、第１規制部６２６、第２規制部６２７、及び架橋部６２８を有する。  本体部６２１は、係止部材６２における略中央に設けられ、当該本体部６２１には、紐状部材６３がインサート成形により取り付けられている。なお、この本体部６２１の中心軸の延出方向、すなわち、紐状部材６３の延出方向は、第１当接部６２２を支点として係止部材６２が回動する際の回動軸方向に直交する方向に設定されている。
【００４０】  第１当接部６２２は、本体部６２１において紐状部材６３に作用する張力の作用方向（図３〜図５に示すＺ方向）の端部近傍に形成され、前述の第１開口部４５４の端縁４５４Ｂに当接する部位である。すなわち、第１当接部６２２は、第１開口部４５４の開口面内に入り込み、当該端縁４５４Ｂに当接する。  この第１当接部６２２は、詳しくは後述するが、当該端縁４５４Ｂに当接した状態で、係止部材６２を板状体４５に係止する際の回動操作における支点となる。
【００４１】  第２当接部６２３は、後述する挿入部６２５の挿入方向（図３〜図５に示すＸ方向）の第１当接部６２２の端部から、前述の作用方向（Ｚ方向）に沿って延出している。この第２当接部６２３は、第１当接部６２２が端縁４５４Ｂに当接される際に、第１開口部４５４の内側に入り込み、当該第１当接部６２２の端縁４５４Ｂへの当接を案内する。  また、第２当接部６２３は、第１当接部６２２を支点として係止部材６２が回動された際に、前記挿入方向（Ｘ方向）とは反対方向の板状体４５の面（詳しくは、当該面における端縁４５４Ｂ近傍の部位）に当接する。これにより、第１開口部４５４からの第１当接部６２２の脱落が規制される。
【００４２】  第３当接部６２４は、前述の作用方向（Ｚ方向）及び挿入方向（Ｘ方向）にそれぞれ直交する方向（図３〜図５に示すＹ方向）に延出する。この第３当接部６２４の延出方向は、第１当接部６２２を支点として係止部材６２が回動する際の回動軸方向と同じ方向である。この第３当接部６２４の当該延出方向の寸法は、第１開口部４５４の同方向の寸法より大きい。
【００４３】  このような第３当接部６２４は、後述する挿入部６２５の第２開口部４５５への挿入方向から見て板状体４５における第１開口部４５４の外側の部位（第１開口部４５４の開口面に正対した際の板状体４５における第１開口部４５４の外側の部位）に当接して、端縁４５４Ｂ（図７〜図９参照）への第１当接部６２２の当接を案内する。このほか、第３当接部６２４は、当該部位に当接することにより、第１開口部４５４への第１当接部６２２の没入を規制する。  また、第３当接部６２４は、係止部材６２が板状体４５に係止された際に、第２当接部６２３とともに当該板状体４５を挟持する。これにより、板状体４５からの係止部材６２の脱落が規制される。
【００４４】  架橋部６２８は、第２当接部６２３における挿入部６２５側の端部（Ｚ方向とは反対方向の端部）から当該挿入部６２５に向かって延出している。この架橋部６２８における挿入部６２５側の端部は、本体部６２１において紐状部材６３が露出する部位より挿入部６２５側に位置している。また、当該架橋部６２８は、当該挿入部６２５に向かうに従って本体部６２１に近接するように傾斜して形成されている。このような架橋部６２８は、係止部材６２が開口部６２２に係止された際に、第１当接部６２２に加わる荷重に抗するリブとしての機能を有する。
【００４５】  挿入部６２５は、本体部６２１において第１当接部６２２とは所定寸法離れた位置に形成されている。詳述すると、挿入部６２５は、本体部６２１において第１当接部６２２が位置する側とは反対側の端部近傍（Ｚ方向とは反対方向の端部近傍）に位置する。この挿入部６２５は、係止部材６２が板状体４５に係止される際に、第２開口部４５５に挿入される。  このような挿入部６２５は、第１延出部６２５１、屈曲部６２５２及び第２延出部６２５３を有し、側方（前述の第３当接部６２４の延出方向に正対した位置）から見て横向きの略Ｕ字状に形成されている。このため、当該挿入部６２５は、前記作用方向（Ｚ方向）に伸縮する弾性を有する。
【００４６】  これらのうち、第１延出部６２５１は、挿入部６２５が第２開口部４５５に挿入される挿入方向（Ｘ方向）に沿って延出している。  屈曲部６２５２は、第１延出部６２５１の延出方向先端部から前記挿入方向（Ｘ方向）とは反対方向で、かつ、前記作用方向（Ｚ方向）とは反対方向に屈曲して形成されている。  第２延出部６２５３は、屈曲部６２５２から前記挿入方向（Ｘ方向）とは反対方向で、かつ、前記作用方向（Ｚ方向）とは反対方向に沿って傾斜するように延出している。
【００４７】  ここで、各延出部６２５１，６２５３における屈曲部６２５２とは反対側の端部間の寸法（Ｚ方向の寸法）と、これら各延出部６２５１，６２５３の厚さ寸法とを加算した寸法は、これらと同方向の第２開口部４５５の寸法より大きく設定されている。このため、当該各端部間の寸法が小さくなるように挿入部６２５を弾性変形させて、当該挿入部６２５を第２開口部４５５に挿入した後では、第２延出部６２５３の端部が当該第２開口部４５５の端縁４５５Ｔ（前記作用方向であるＺ方向とは反対方向の端縁４５５Ｔ）に当接する。この当接位置に、第１規制部６２６が形成されている。
【００４８】  第１規制部６２６は、挿入部６２５が第２開口部４５５に挿入された後、端縁４５５Ｔに当接して、第２開口部４５５からの挿入部６２５の抜けを規制する。この第１規制部６２６は、第２延出部６２５３の端部の一部が切り欠かれ、緩やかな曲面形状を有する。これにより、製造段階で係止部材６２及び第２開口部４５５の寸法に誤差が生じた場合でも、当該端縁４５５Ｔに第１規制部６２６を確実に当接させることができ、挿入部６２５の抜けを確実に規制できる。
【００４９】  第２規制部６２７は、本体部６２１の第１当接部６２２とは反対側の端部近傍で、端縁４５５Ｔに応じた位置に形成されている。このため、第２規制部６２７は、第１規制部６２６と対向する位置に設けられている。  このような第２規制部６２７は、挿入部６２５が第２開口部４５５に挿入された際に、端縁４５５Ｔ近傍の板状体４５の部位に当接する。これにより、挿入部６２５が第２開口部４５５内に没入することが規制される。
【００５０】  ［固定具によるカバー固定方法］  図６は、開口部４５１に対する取付部材６１の係合状態を示す図であり、図７〜図９は、係止部材６２の開口部４５２への係止工程を示す図である。  以下、固定具６によるシート本体４へのカバー５の固定方法を説明する。  まず、取付部材６１を板状体４５に取り付ける。具体的に、図６に示すように、取付部材６１の鉤状部６１１を、シート本体４の板状体４５に形成された開口部４５１の端縁４５１Ｔに掛かり止める。
【００５１】  また、取付部材６１に一端が固定された紐状部材６３と、カバー５とを係合させる（係合工程）。この際、図１に示したように、紐状部材６３をシート本体４の正面側に上方から掛け渡すとともに、当該紐状部材６３及び係止部材６２をカバー５に設けられた帯状部５５（図２参照）に挿通させる。この後、シート本体４を覆うようにカバー５を配置し、紐状部材６３及び帯状部５５を、凹部４４（図２参照）内に配置させる。  なお、本実施形態では、取付部材６１の板状体４５への取付後に、紐状部材６３及び係止部材６２を帯状部５５に挿通させることとしているが、予め紐状部材６３が帯状部５５を挿通した状態で、取付部材６１を板状体４５に取り付けてもよい。
【００５２】  そして、紐状部材６３を図１における下方からシート本体４の背面側に掛け渡し、図７〜図９に示すように、当該紐状部材６３の他端に設けられた係止部材６２を板状体４５（開口部４５２）に係止させる（係止工程）。  具体的に、この係止工程では、図７に示すように、まず、第１当接部６２２を端縁４５４Ｂに当接させる（当接手順）。
【００５３】  次に、図８に示すように、当該第１当接部６２２をてこの原理の支点として、係止部材６２における第１当接部６２２とは反対側の端部が板状体４５に近接する方向に、レバーのように当該係止部材６２を回動させる。この回動操作により、図９に示すように、挿入部６２５を第２開口部４５５に挿入させる（挿入手順）。  この際、挿入部６２５は、第２延出部６２５３が端縁４５５Ｔに当接しつつ挿入される。このため、当該挿入部６２５は、屈曲部６２５２とは反対側の各延出部６２５１，６２５３の端部間が収縮するように弾性変形して、第２開口部４５５に挿入される。
【００５４】  そして、第２規制部６２７が板状体４５に当接するまで挿入部６２５を第２開口部４５５に挿入すると、当該挿入部６２５の変形が元に戻ろうとする。このため、第２延出部６２５３の端部が切り欠かれて形成された第１規制部６２６に端縁４５５Ｔが当接される。詳述すると、当該第１規制部６２６は、本体部６２１が位置する側とは反対側から端縁４５５Ｔに当接する。これにより、第２開口部４５５からの挿入部６２５の抜けが規制される（規制手順）。
【００５５】  このような第１規制部６２６による規制状態では、板状体４５は、第１開口部４５４の端縁近傍にて第２当接部６２３及び第３当接部６２４により挟持され、また、第２開口部４５５の端縁近傍にて第１規制部６２６及び第２規制部６２７により挟持される。これにより、係止部材６２が板状体４５に係止されるので、シート本体４に固定具６が係止され、ひいては、当該シート本体４に固定具６が係合するカバー５が固定される。
【００５６】  以上説明した本実施形態に係るシート１によれば、以下の効果がある。  端縁４５４Ｂに当接した第１当接部６２２を支点として係止部材６２を回動させ、当該第１当接部６２２から離れた挿入部６２５を第２開口部４５５に挿入させることで、当該係止部材６２が板状体４５に係止される。これによれば、固定具６をシート本体４に容易に係止でき、ひいては、カバー５をシート本体４に容易に固定できる。
【００５７】  また、第２開口部４５５に挿入部６２５が挿入された状態で適切な張力が紐状部材６３に加わるように、当該紐状部材６３の長さ寸法が設定されていれば、必要以上に係止部材６２を引き寄せる等の作業が不要となる。このため、係止部材６２を板状体４５に係止する際の作業者の力を低減できる。
【００５８】  更に、第１当接部６２２を支点とする係止部材６２の回動により、第２開口部４５５に挿入部６２５が挿入されて、当該係止部材６２が板状体４５に係止される。この際、当該係止部材６２が板状体４５に対して前述の作用方向（Ｚ方向）に移動することが防止される。これによれば、紐状部材６３を介して、取付部材６１及び係止部材６２に加わる応力を適切に設定及び維持できる。従って、固定具６を安定して板状体４５、ひいては、シート本体４に固定でき、当該シート本体４にカバー５を適切に固定できる。
【００５９】  挿入部６２５は、弾性変形されて第２開口部４５５に挿入されるので、当該挿入部６２５の挿入操作を容易に行うことができる。このほか、挿入部６２５を収縮させるように変形させることで、係止部材６２を板状体４５から取り外すことも可能となる。  また、第１規制部６２６が、端縁４５５Ｔに当接される挿入部６２５（第２延出部６２５３）の部位に位置することにより、第２開口部４５５への挿入部６２５の挿入操作が完了するのと略同時に、当該第２開口部４５５からの挿入部６２５の抜けを規制できる。
【００６０】  挿入部６２５は、第１延出部６２５１、屈曲部６２５２及び第２延出部６２５３を有する略Ｕ字状に形成される。これによれば、屈曲部６２５２から先に第２開口部４５５に挿入することで、挿入部６２５が第２開口部４５５を通過する際に、当該挿入部６２５を弾性変形させやすくすることができる。従って、挿入部６２５の挿入を一層容易に行うことができ、ひいては、シート本体４に対する係止部材６２の係止を一層容易に行うことができる。
【００６１】  また、挿入部６２５が第２開口部４５５に挿入された後では、屈曲部６２５２とは反対側の延出部６２５１，６２５３の各端部は、互いに離間する方向に伸長しようとする。これによれば、当該第２延出部６２５３の端部に位置する第１規制部６２６が、端縁４５５Ｔに当接しやすくなる。従って、第１規制部６２６による挿入部６２５の抜けを確実に防止できる。
【００６２】  挿入部６２５が第２開口部４５５に挿入された際に、第２規制部が板状体４５に当接することにより、当該挿入部６２５が第２開口部４５５内に没入することを防止できる。従って、係止部材６２の係止時の作業を一層容易に行うことができるほか、当該シート本体に係止部材を確実に係止できる。
【００６３】  第１当接部６２２から延出する第２当接部６２３を端縁４５４Ｂに掛かり止めることにより、当該第１当接部６２２を端縁４５４Ｂに当接させやすくできる。従って、係止部材６２の回動時の操作を容易に行うことができる。  また、挿入部６２５が第２開口部４５５に挿入された際には、第２当接部６２３は、板状体４５における本体部６２１が位置する側とは反対側の面に当接する。これによれば、第１開口部４５４から第１当接部６２２が抜けることが規制されるので、第１規制部６２６と合わせて、板状体４５からの係止部材６２の抜けを確実に防止できる。従って、シート本体４に係止部材６２を確実に係止でき、当該シート本体４にカバー５を確実に固定できる。
【００６４】  第３当接部６２４が、第１開口部４５４の外側の部位に当接することにより、端縁４５４Ｂに第１当接部６２２を案内できる他、当該第１当接部６２２が第１開口部４５４内に没入することを防止できる。  また、係止部材６２が板状体４５に係止された際には、第２当接部６２３及び第３当接部６２４により、端縁４５４Ｂ近傍の板状体４５の部位が挟持される。従って、係止部材６２を安定してシート本体４に係止できる。
【００６５】  板状体４５には、分離部４５３により分離された第１開口部４５４及び第２開口部４５５が形成されている。そして、第１開口部４５４の端縁４５４Ｂには、係止部材６２の回動支点となる第１当接部６２２が当接され、第２開口部４５５には、挿入部６２５が挿入されることで、係止部材６２が板状体４５に係止される。これによれば、分離部４５３により、第１当接部６２２及び挿入部６２５が形成された本体部６２１の開口部４５４，４５５内への没入を防止できる。従って、係止部材６２を適切にシート本体４に係止させることができる。
【００６６】  ［第２実施形態］  次に、本発明の第２実施形態に係るシートついて説明する。  本実施形態に係るシートは、前述のシート１と同様に構成を備えるが、当該シートに用いられる固定具の係止部材の構成が、シート１に用いられた固定具６の係止部材６２の構成と異なる。  なお、以下の説明では、既に説明した部分と同一、或いは、略同一である部分については、同一の符号を付して説明を省略する。
【００６７】  図１０は、本実施形態に係るシートが備える固定具の係止部材の係止状態を示す斜視図である。  本実施形態に係るシートは、固定具６に代えて固定具７を備える他は、前述のシート１と同様の構成を備える。また、固定具７は、係止部材６２に代えて係止部材７２を備える他は、固定具６と同様の構成を備える。  係止部材７２は、図１０に示すように、第３当接部６２４に代えて第４当接部７２４を有する他は、係止部材６２と同様の構成を有する。
【００６８】  第４当接部７２４は、第１当接部６２２において第２当接部６２３が位置する側とは反対側の端部から前述の作用方向（Ｚ方向）に沿って、当該第２当接部６２３と対向するように延出する。すなわち、第４当接部７２４は、挿入部６２５から第１当接部６２２に向かう方向に、当該第１当接部６２２において第２当接部６２３とは反対側の端部から延出する。そして、当該第４当接部７２４は、係止部材７２が板状体４５に係止された際に、端縁４５４Ｂ近傍の板状体４５の部位に当接して、第１開口部４５４への第１当接部６２２の没入を規制する。換言すると、第４当接部７２４は、挿入部６２５の第２開口部４５５への挿入方向から見て第１開口部４５４の外側の部位（第１開口部４５４の開口面に正対した際の板状体４５における第１開口部４５４の外側の部位）に当接する。また、この第４当接部７２４は、第２当接部６２３とともに、板状体４５を挟持する。これにより、係止部材７２の抜け及び没入が規制される。
【００６９】  このような第４当接部７２４は、前述の挿入方向（Ｘ方向）とは反対方向に向かうに従って前述の作用方向（Ｚ方向）に延出する傾斜部７２４１を有する。この傾斜部７２４１は、係止部材７２の回動操作に際して、当該第３当接部７２４が板状体４５に当接して、当該回動操作が妨げられることを防止するためのものである。
【００７０】  以上説明した本実施形態に係るシートによれば、前述のシートと同様の効果を奏することができる。また、第１当接部６２２からの第４当接部７２４の延出方向は、前述の作用方向（Ｚ方向）であるので、第３当接部６２４を有する固定具６に比べて、固定具７のＹ方向の寸法を小さくすることができる。
【００７１】  ［実施形態の変形］  本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００７２】  前記各実施形態では、係止部材６２，７２が係止される板状体４５の開口部４５２は、分離部４５３により、第１開口部４５４及び第２開口部４５５により分離されているとしたが、本発明はこれに限らない。すなわち、１つの開口部に係止部材を係止する構成としてもよい。この場合、当該開口部における前記作用方向の端縁に第１当接部が当接し、また、当該作用方向とは反対方向の端縁に第１規制部が当接するように、係止部材を取り付ければよい。  更に、係止部材６２，７２が係止される位置は、シート本体４に設けられた板状体４５（開口部４５２）に限らない。すなわち、固定具の係止部材を係止可能であれば、板状体は無くてもよい。
【００７３】  前記各実施形態では、係止部材６２，７２は、第２当接部６２３及び第３当接部６２４，７２４を有するとしたが、本発明はこれに限らない。すなわち、これら第２当接部及び第３当接部のいずれか一方を有する構成としてもよく、また、係止部材を適切に係止可能であれば、これら第２当接部及び第３当接部は無くてもよい。
【００７４】  前記各実施形態では、挿入部６２５は、第１延出部６２５１、屈曲部６２５２、及び第２延出部６２５３を有する側面視略Ｕ字状に形成されるとしたが、本発明はこれに限らない。すなわち、矢尻型等の他の形状に形成されていてもよい。また、弾性変形により開口部内に挿入可能に構成され、挿入し終えた際に伸長して開口部からの抜けが規制される構成であれば、挿入部を弾性体により構成することも可能である。更に、シート本体に適切に係止できるのであれば、挿入部は上記構成及び特性を有していなくてもよい。
【００７５】  前記各実施形態では、第２規制部６２７は、第１規制部６２６と対向する位置に配置され、板状体４５における端縁４５５Ｔ近傍の部位に当接されるとしたが、本発明はこれに限らない。すなわち、シート本体に当接することで、挿入部の開口部内への没入を規制することができれば、第２規制部の当接位置は問わない。例えば、第３当接部６２４と同方向に延出していてもよい。
【００７６】  前記各実施形態では、取付部材６１が取り付けられるシート本体４の部位は、当該シート本体４の背面側に取り付けられた板状体４５の開口部４５１であるとしたが、本発明はこれに限らない。すなわち、取付部材６１の取付部位は、当該取付部材６１を取付可能であれば、他の部位でもよい。例えば、当該取付部位は、板状体４５に限らず、シート本体４のフレームでもよく、或いは、シート本体４のクッション材に設けられた部材（ワイヤー等）でもよい。
【００７７】  前記各実施形態では、取付部材６１の構成は、開口部４５１の端縁４５１Ｔに掛かり止められる鉤状部６１１を有するとしたが、本発明はこれに限らない。すなわち、シート本体４に取付可能であれば、取付部材６１の構成は問わない。例えば、取付部材６１に代えて係止部材６２を設ける構成としてもよい。すなわち、固定具の両端が係止部材であってもよい。
【００７８】  前記各実施形態では、シート１は、自動車等の車両に用いられるシートであるとしたが、本発明はこれに限らない。すなわち、家庭用及び業務用に用いられるシートに、本発明を採用してもよい。
【産業上の利用可能性】
【００７９】  本発明は、シートを構成するシート本体にカバーを固定する固定具、当該シート、及び、カバー固定方法に利用でき、特に、自動車等の車両に用いられるシートに好適に利用できる。
【符号の説明】
【００８０】  １…シート、４…シート本体、５…カバー、６，７…固定具、４５…板状体、６１…取付部材、６２，７２…係止部材、６３…紐状部材、４５２…開口部、４５３…分離部、４５４…第１開口部、４５５…第２開口部、６２１…本体部、６２２…第１当接部（当接部）、６２３…第２当接部、６２４…第３当接部、６２５…挿入部、６２６…第１規制部、６２７…第２規制部、７２４…第４当接部、４５４Ｂ…端縁（第１端縁）、４５５Ｔ…端縁（第２端縁）。
【図１】
0005560336.tif 000002
【図２】
0005560336.tif 000003
【図３】
0005560336.tif 000004
【図４】
0005560336.tif 000005
【図５】
0005560336.tif 000006
【図６】
0005560336.tif 000007
【図７】
0005560336.tif 000008
【図８】
0005560336.tif 000009
【図９】
0005560336.tif 000010
【図１０】
0005560336.tif 000011